【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
実行時にビジネスプロセスロギング情報をフィルタリングするためのコンピュータ実施方法であって、
少なくとも1つのエンティティの実行に関連するロギング情報のセットを受け取るステップであって、前記少なくとも1つのエンティティが、定義されたビジネスプロセスを実施するためのビジネスプロセスエンティティのセットを定義するビジネスプロセスモデルに関連する、ステップと、
前記少なくとも1つのエンティティに関連するプロセスログフィルタ規則を識別するステップであって、前記少なくとも1つのエンティティに関連する前記プロセスログフィルタ規則が、前記ビジネスプロセスモデルの特定の実行インスタンス内の各エンティティに関連するプロセスログフィルタ規則を含み、前記プロセスログフィルタ規則が、前記ビジネスプロセスモデルの前記特定の実行インスタンスに関連する実行時コンテキストに少なくとも一部基づく、ステップと、
前記識別されたプロセスログフィルタ規則を、前記受け取られたロギング情報セットに適用して、前記少なくとも1つのエンティティの実行に関連するフィルタリングされたロギング情報のセットを生成するステップと、
前記フィルタリングされたロギング情報セットを、前記少なくとも1つのエンティティの前記実行に関連するプロセスログに格納するステップとを備える方法。
【請求項２】
前記少なくとも1つのエンティティに関連するプロセスログフィルタ規則を識別するステップが、
前記少なくとも1つのエンティティに関連する少なくとも1つのエンティティプロパティを識別するステップと、
前記少なくとも1つの識別されたエンティティプロパティに対応する少なくとも1つのプロセスログフィルタ規則を決定するステップとを含む、請求項1に記載の方法。
【請求項３】
前記フィルタリングされたロギング情報セットが、前記少なくとも1つのエンティティの実行に関連する空のロギング情報セットを備える、請求項1に記載の方法。
【請求項４】
前記フィルタリングされたロギング情報セットを前記プロセスログに格納するステップが、
前記少なくとも1つのエンティティに関連する識別子を生成するステップと、
前記フィルタリングされたロギング情報セットを前記プロセスログに格納するステップとを含み、前記フィルタリングされたロギング情報セットが、前記少なくとも1つのエンティティに関連する前記生成された識別子を含む、請求項1に記載の方法。
【請求項５】
前記少なくとも1つのエンティティに関連する前記プロセスログフィルタ規則が、前記ビジネスプロセスモデル内の各エンティティに関連するプロセスログフィルタ規則を含む、請求項1に記載の方法。
【請求項６】
前記ビジネスプロセスモデルの前記特定の実行インスタンスに関連する前記実行時コンテキストが、前記ビジネスプロセスモデルインスタンスの前記実行の定義された目的を含む、請求項1に記載の方法。
【請求項７】
前記少なくとも1つのエンティティにロギング粒度が設計時に割り当てられ、前記少なくとも1つのエンティティに関連する前記プロセスログフィルタ規則を識別するステップが、設計時に前記少なくとも1つのエンティティに割り当てられた前記ロギング粒度に少なくとも一部基づいて、プロセスログフィルタ規則のセットから特定のプロセスログフィルタ規則を識別するステップを含む、請求項1に記載の方法。
【請求項８】
前記プロセスログフィルタ規則が、実行時に前記少なくとも1つのエンティティについてフィルタ情報のセットを決定するために使用された前記少なくとも1つのエンティティに関連する少なくとも1つのエンティティプロパティに基づく論理式を含む、請求項1に記載の方法。
【請求項９】
有形の非一時的な媒体上で具現化されたコンピュータ読取り可能命令を備える、実行時にビジネスプロセスロギング情報をフィルタリングするためのコンピュータプログラムであって、前記命令が、実行されたとき、
少なくとも1つのエンティティの実行に関連するロギング情報のセットを受け取るステップであって、前記少なくとも1つのエンティティが、定義されたビジネスプロセスを実施するためのビジネスプロセスエンティティのセットを定義するビジネスプロセスモデルに関連する、ステップと、
前記少なくとも1つのエンティティに関連するプロセスログフィルタ規則を識別するステップであって、前記少なくとも1つのエンティティに関連する前記プロセスログフィルタ規則が、前記ビジネスプロセスモデルの特定の実行インスタンス内の各エンティティに関連するプロセスログフィルタ規則を含み、前記プロセスログフィルタ規則が、前記ビジネスプロセスモデルの前記特定の実行インスタンスに関連する実行時コンテキストに少なくとも一部基づく、ステップと、
前記識別されたプロセスログフィルタ規則を、前記受け取られたロギング情報セットに適用して、前記少なくとも1つのエンティティの実行に関連するフィルタリングされたロギング情報のセットを生成するステップと、
前記フィルタリングされたロギング情報セットを、前記少なくとも1つのエンティティの前記実行に関連するプロセスログに格納するステップとを行うように動作可能である、コンピュータプログラム。
【請求項１０】
前記少なくとも1つのエンティティに関連するプロセスログフィルタ規則を識別するステップが、
前記少なくとも1つのエンティティに関連する少なくとも1つのエンティティプロパティを識別するステップと、
前記少なくとも1つの識別されたエンティティプロパティに対応する少なくとも1つのプロセスログフィルタ規則を決定するステップとを含む、請求項9に記載のコンピュータプログラム。
【請求項１１】
前記フィルタリングされたロギング情報セットが、前記少なくとも1つのエンティティの実行に関連する空のロギング情報のセットを備える、請求項9に記載のコンピュータプログラム。
【請求項１２】
前記フィルタリングされたロギング情報セットを前記プロセスログに格納するステップが、
前記少なくとも1つのエンティティに関連する識別子を生成するステップと、
前記フィルタリングされたロギング情報セットを前記プロセスログに格納するステップとを含み、前記フィルタリングされたロギング情報セットが、前記少なくとも1つのエンティティに関連する前記生成された識別子を含む、請求項9に記載のコンピュータプログラム。
【請求項１３】
前記少なくとも1つのエンティティに関連する前記プロセスログフィルタ規則が、前記ビジネスプロセスモデル内の各エンティティに関連するプロセスログフィルタ規則を含む、請求項9に記載のコンピュータプログラム。
【請求項１４】
前記ビジネスプロセスモデルの前記特定の実行インスタンスに関連する前記実行時コンテキストが、前記ビジネスプロセスモデルインスタンスの前記実行の定義された目的を含む、請求項9に記載のコンピュータプログラム。
【請求項１５】
前記少なくとも1つのエンティティにロギング粒度が設計時に割り当てられ、前記少なくとも1つのエンティティに関連する前記プロセスログフィルタ規則を識別するステップが、設計時に前記少なくとも1つのエンティティに割り当てられた前記ロギング粒度に少なくとも一部基づいて、プロセスログフィルタ規則のセットから特定のプロセスログフィルタ規則を識別するステップを含む、請求項9に記載のコンピュータプログラム。
【請求項１６】
前記プロセスログフィルタ規則が、実行時に前記少なくとも1つのエンティティについてフィルタ情報のセットを決定するために使用された前記少なくとも1つのエンティティに関連する少なくとも1つのエンティティプロパティに基づく論理式を含む、請求項9に記載のコンピュータプログラム。
【請求項１７】
複数のビジネスプロセスモデルを格納するように動作可能なメモリであって、それぞれのビジネスプロセスモデルが、定義されたビジネスプロセスを実施するためのビジネスプロセスエンティティのセットを定義する、メモリと、
少なくとも1つのエンティティの実行に関連するロギング情報のセットを受け取るステップであって、前記少なくとも1つのエンティティが、前記複数のビジネスプロセスモデルからの特定のビジネスプロセスモデルに関連する、ステップと、
前記少なくとも1つのエンティティに関連するプロセスログフィルタ規則を識別するステップであって、前記少なくとも1つのエンティティに関連する前記プロセスログフィルタ規則が、前記ビジネスプロセスモデルの特定の実行インスタンス内の各エンティティに関連するプロセスログフィルタ規則を含み、前記プロセスログフィルタ規則が、前記ビジネスプロセスモデルの前記特定の実行インスタンスに関連する実行時コンテキストに少なくとも一部基づく、ステップと、
前記識別されたプロセスログフィルタ規則を、前記受け取られたロギング情報セットに適用して、前記少なくとも1つのエンティティの実行に関連するフィルタリングされたロギング情報セットを生成するステップと、
前記フィルタリングされたロギング情報セットを、前記少なくとも1つのエンティティの前記実行に関連するプロセスログに格納するステップと
を行うように動作可能な1つまたは複数のプロセッサと
を備えるシステム。